(57)【要約】【課題】本発明の目的は、複数のガイド溝部材とコロユニットを係合させる方式の光学装置において、大型化することなく強固なガイド溝部材の保持を行い、且つ部品自体の精度を高めることのない光学装置を提供することである。【解決手段】本発明は、光学素子と、前記光学素子を保持する鏡筒と、前記鏡筒の外周に複数設けられたガイド溝部材と、固定筒と、前記固定筒の内周に複数設けられた２個以上のコロ部材からなるコロユニットと、前記ガイド溝部材と、前記コロユニットが係合することで前記鏡筒を前記固定筒に対して光軸方向に移動可能に保持する光学装置において、前記鏡筒に対して前記ガイド溝部材の位置決め固定を行う固定部材と、前記鏡筒と前記ガイド溝部材の双方またはどちらか一方に接着剤の接着溜まりが設けられており、前記接着溜まりに接着剤を充填させることを特徴とする。【選択図】図２
2012155117.tif 000002
【特許請求の範囲】
【請求項１】
光学素子と、
前記光学素子を保持する鏡筒と、
前記鏡筒の外周に複数設けられたガイド溝部材と、
固定筒と、
前記固定筒の内周に複数設けられた、２個以上のコロ部材からなるコロユニットと、
前記ガイド溝部材と前記コロユニットが係合することで前記鏡筒を前記固定筒に対して光軸方向に移動可能に保持する光学装置において、
前記鏡筒に対して前記ガイド溝部材の位置決め固定を行う固定部材と、
前記鏡筒と前記ガイド溝部材の双方またはどちらか一方に接着剤の接着溜まりが設けられており、前記接着溜まりに接着剤を充填させることを特徴とする光学装置。
【請求項２】
前記接着溜まりとは、前記鏡筒と前記ガイド溝部材の取付面に、前記鏡筒と前記ガイド溝部材の双方又はどちらか一方に設けられている凹部であることを特徴とする請求項１に記載の光学装置。
【請求項３】
前記鏡筒と前記ガイド溝部材の双方又はどちらか一方に対向する前記接着剤の注入穴が設けられていることを特徴とする請求項１または２に記載の光学装置。
【請求項４】
前記注入穴を塞ぐ封入部材を持つことを特徴とする請求項３に記載の光学装置。
【請求項５】
前記接着剤とは嫌気性接着剤であることを特徴とする請求項１乃至４の何れか一項に記載の光学装置。
【請求項６】
前記凹部は１５〜５０μｍであることを特徴とする請求項２、３または５に記載の光学装置。
【請求項７】
前記接着溜まりとは、前記ガイド溝部材と前記鏡筒に設けられた凸部の間に生じる溝であることを特徴とする請求項１に記載の光学装置。
【請求項８】
前記接着剤とはエポキシ樹脂系の接着剤であることを特徴とする請求項１または７記載の光学装置。
【請求項９】
前記接着剤は、前記ガイド溝部材の前記鏡筒への位置決め固定後に充填させる構造であることを特徴とする請求項１、２または７に記載の光学装置。
【発明の詳細な説明】
【技術分野】
【０００１】
本発明は、撮影用レンズに関し、特にレンズ群が光軸方向に移動する際のガイド部材に関するものである。
【背景技術】
【０００２】
従来テレビレンズでは、フォーカス、ズーム操作を行なうレンズ群を光軸方向に移動させる構造として、ガイド溝部材と複数のコロ部材をもつコロユニットを係合させる方式が知られている。
例えば、特許文献１にはレンズを保持した鏡筒の外周部にレンズの光軸方向と平行な直進溝を持つ複数のガイド溝部材が取り付けられている。更に、ガイド溝部材は固定筒に設けられているコロユニットと係合することで、鏡筒は固定筒に対し直進溝に沿った並進移動が可能な構造の記載がされている。
【０００３】
また、特許文献２には鏡筒とガイド溝部材が別体ではなく、一体となっている構造の記載がされている。
【先行技術文献】
【特許文献】
【０００４】
【特許文献１】特開２００７−２４８７７６号公報
【特許文献２】特開２００８−４６４８２号公報
【発明の概要】
【発明が解決しようとする課題】
【０００５】
しかしながら、特許文献１に記載のガイド溝部材と鏡筒の取付構造は、ビスのみであることが記載されており、光学装置に衝撃が加わった際にガイド溝部材がずれやすい。このガイド溝部材がずれてしまうと、鏡筒つまりはレンズが傾くこととなり、光学性能の劣化となる。仮に、ビスを増やすことやビスを大きくすることで、ガイド溝部材の強固な保持力を得ようとすると、光学装置全体が大型化してしまう。加えて、ビスの軸力が大き過ぎることで鏡筒が変形してしまい、これも光学性能の劣化に繋がる。
【０００６】
一方、特許文献２に記載されているように、ガイド溝部材と鏡筒を一体にしてしまうと、ガイド溝部材が一切調整出来ない。すると、部品自体の精度を高くしなければならないために、コストの高い部品が必要となる。
【０００７】
本発明はこのような事情に鑑みてなされたもので、複数のガイド溝部材とコロユニットを係合させる方式の光学装置において、大型化することなく強固なガイド溝部材の保持を行い、且つ部品自体の精度を高めることのない光学装置を提供することを目的とする。
【課題を解決するための手段】
【０００８】
上記目的を達成するために、本発明は、光学素子と、前記光学素子を保持する鏡筒と、前記鏡筒の外周に複数設けられたガイド溝部材と、固定筒と、前記固定筒の内周に複数設けられた２個以上のコロ部材からなるコロユニットと、前記ガイド溝部材と、前記コロユニットが係合することで前記鏡筒を前記固定筒に対して光軸方向に移動可能に保持する光学装置において、前記鏡筒に対して前記ガイド溝部材の位置決め固定を行う固定部材と、前記鏡筒と前記ガイド溝部材の双方またはどちらか一方に接着剤の接着溜まりが設けられており、前記接着溜まりに接着剤を充填させることを特徴とする。
【発明の効果】
【０００９】
本発明によれば、複数のガイド溝部材とコロユニットを係合させる方式の光学装置において、大型化することなく強固なガイド溝部材の保持を行い、且つ部品自体の精度を高めることのない光学装置を提供することが可能である。
【図面の簡単な説明】
【００１０】
【図１】実施例１の光学装置を示す要部破断斜視図である。
【図２】実施例１の光学装置の図１のＡ視図である。
【図３】実施例１の光学装置の図１のＢ−Ｂ断面図である。
【図４】実施例２の光学装置を示す要部破断斜視図である。
【図５】実施例２の光学装置の図４のＣ視図である。
【図６】実施例２の光学装置の図４のＤ視図である。
【発明を実施するための形態】
【００１１】
以下に、本発明の好ましい実施の形態を、添付の図面に基づいて詳細に説明する。図１〜図６は、本発明の実施形態にかかわる光学装置である。
【実施例１】
【００１２】
以下、図１〜図３を参照して、本発明の第１の実施例による、光学装置について説明する。
【００１３】
まず、図１の要部破断斜視図を用いて、本実施例の光学装置全体の構造について説明する。
【００１４】
鏡筒１はレンズ２を保持している。且つ、鏡筒１には４個のコの字形ガイド溝部材３が、複数のビス４によって取り付けられている。さらに、鏡筒１にはネジ穴５ａが形成されたナット部材５が設けられている。一方、固定筒６には４つのコロ部材７からなるコロユニット１００が、各々ナット８によって取り付けられている。更に、固定筒６には、ナット部材５のネジ穴５ａに螺合する送りネジ部材９が回転可能に設けられている。
【００１５】
以上の構成により、鏡筒１は固定筒６に対して、宙釣り状態で保持されている。従って、鏡筒１は送りネジ部材９を回転させることで、ガイド溝部材３とコロユニット１００に沿って光軸方向に並進移動する。
【００１６】
次に図１のＡ視図である図２と、図１のＢ−Ｂ断面図である図３を用いて、本実施例のガイド溝部材の固定構造について説明する。
【００１７】
最初に、図２（ａ）のように、４個のガイド溝部材３が光軸と平行になる様に位置調整を行い、ガイド溝部材３を鏡筒１にビス４によって取り付ける。
【００１８】
次に、図２（ｂ）のように、ガイド溝部材３の表面に設けられたタップ穴３ａより、ガイド溝部材３の裏面に設けられた凹部３ｂに接着剤１０を流し込む。すると、ガイド溝部材３の表面に設けられたもう１つのタップ穴３ｃより、接着剤１０が出てくることによって、接着剤１０が凹部３ｂに十分に充填される。
【００１９】
最後に、図３のように、２つのタップ穴３ａ及び３ｃをストッパビス１１で塞ぐことにより、硬化までの接着剤１０の漏れを防ぐ。
【００２０】
以上の構造によって、ガイド溝部材３は鏡筒１に対して、接着剤１０により強固に保持される。
【００２１】
ここで、本実施例に使用した接着剤１０は、粘度が低く且つ強高度である接着剤が望ましい。例えば、嫌気性接着剤である。また、嫌気性接着剤を使用するにあたり、ガイド溝部材３に設けられた凹部３ｂの深さは１５〜５０μｍ程度が流入性及び硬化時間、硬化強度の観点から望ましい。
【００２２】
ところで、本実施例の接着溝及び接着剤の注入穴はガイド溝部材３に設けられているが、もちろん鏡筒１側に設けられていても構わない。
【実施例２】
【００２３】
以下、図４〜図６を参照して、本発明の第２の実施例による、光学装置について説明する。
【００２４】
まず、図４の要部破断斜視図を用いて、本実施例の光学装置全体の構造について説明する。
【００２５】
鏡筒１２はレンズ１３を保持している。且つ、鏡筒１２には４個のコの字形ガイド溝部材１４が、複数のビス１５によって取り付けられている。更に、固定筒１７には、ガイドピン１６が設けられている。一方、固定筒１７には４つのコロ部材１８からなるコロユニット１０１が各々ナット１９によって取り付けられている。さらに、固定筒１７には、ガイドピン１６と係合するカム溝２０ａを持つカム筒２０が回転可能に設けられている。
以上の構成により、鏡筒１２は固定筒１７に対して、宙釣り状態で保持されている。従って、鏡筒１２は、カム筒２０を回転させることで、ガイド溝部材１４とコロユニット１０１に沿って光軸方向に並進移動する。
【００２６】
次に図４のＣ視図である図５と図４のＤ視図である図６を用いて、本実施例のガイド溝部材の固定構造について説明する。
【００２７】
最初に、図５（ａ）のように、ガイド溝部材１４の位置調整を行い、鏡筒１２にビス１５により取り付ける。
【００２８】
次に、図５（ｂ）のように、ガイド溝部材１４と鏡筒１２に設けられた凸部１２ａの間に接着剤２１を充填させる。
【００２９】
以上の構造によって、ガイド溝部材１４は鏡筒１２に対して、接着剤２１により強固に保持される。
【００３０】
ここで、本実施例に使用した接着剤２１は、粘度が高く且つ強高度である接着剤が望ましい。例えば、エポキシ樹脂系の接着剤である。
【００３１】
ところで、鏡筒の送り機構として、実施例１では送りネジ機構を、実施例２ではカム機構を用いて説明したが、送り機構に関しては限定されるものではなく、用途に応じた送り機構を使用可能である。
【００３２】
以上、本発明の好ましい実施形態について説明したが、本発明はこれらの実施形態に限定されず、その要旨の範囲内で種々の変形及び変更が可能である。
【符号の説明】
【００３３】
１・・・鏡筒
２・・・レンズ
３・・・ガイド溝部材
３ａ、３ｃ・・・タップ穴
３ｂ・・・凹部
４・・・ビス
５・・・ナット部材
６・・・固定筒
７・・・コロ部材
８・・・ナット
９・・・送りネジ部材
１０・・・接着剤
１１・・・ストッパビス
１００・・・コロユニット
【図１】
2012155117.tif 000003
【図２】
2012155117.tif 000004
【図３】
2012155117.tif 000005
【図４】
2012155117.tif 000006
【図５】
2012155117.tif 000007
【図６】
2012155117.tif 000008